(57)【要約】      （修正有）【課題】多種多様な靴サイズに対応できる靴履き具の提供。【解決手段】靴の踵後壁上端と接触する靴べら３の靴接触位置（以下接点１（Ｓ１）と言う）と、靴の踵外側面下部と接触する支柱４の靴接触位置（以下接点２（Ｓ２）と言う）との水平距離寸法６を加減変更調節し維持出来る、距離寸法変更手段７を設けた。【選択図】図１
2009254558.tif 000002
【特許請求の範囲】
【請求項１】
図１、２に示す如く、棒（１）の先を靴の踵後壁（２）を跨ぐ二股状に分岐させ、靴内部に入る方を板状の靴べら（３）とし、靴外に出る方を支柱（４）とした靴履き具（５）に於いて、棒（１）の上部を靴後方方向へ傾けた時、靴の踵後壁（２）上端と接触する靴べら（３）の靴接触位置（以下接点１（Ｓ１）と言う）と、靴の踵外側面下部と接触する支柱（４）の靴接触位置（以下接点２（Ｓ２）と言う）との水平距離寸法（６）を加減変更調節し維持出来る、距離寸法変更手段（７）を靴履き具に設けた事を特徴とする、改良靴履き具。
【発明の詳細な説明】
【技術分野】
【０００１】
この発明は靴履き具に関するものである。        
【背景技術】
【０００２】
次のような先行技術があった。
先行技術として特開２００１−２８６３８３号公報に記載されたように、靴脱着具兼杖並びに該靴脱着具兼杖に用いる靴べらが有る。これは手元レバーを握る握力の無い人でも、杖を傾けることで、靴べらと棒状物の間に靴の踵後壁を挟んで梃子の原理で靴を掴み上げ、非力な人でも履く状態で靴を掴み上げ移動し、そのまま靴を履く事が出来るものである。杖の上端を腕の通せるリング状にした作品では、手首から先を失った方でも靴を掴み移動し履くことが出来、障害を持つ方には非常に喜ばれた。
【特許文献１】特開２００１−２８６３８３号公報
【発明の開示】
【発明が解決しようとする課題】
【０００３】
パーキンソン病と言う、筋力がどんどん低下し、自力では起立や手元レバーを握る握力の出ない病気の方との出会いが、靴脱着具兼杖並びに該靴脱着具兼杖に用いる靴べら（特許公開２００１−２８６３８３、）を生んだ。それは機構的に可動部分が一切無いのに、履く状態で靴が掴める、身体機能の衰えた人にはとても使い易く判りやすい物であった。しかしこの発明では靴の形状、大きさに対応出来る範囲が小さく、子供の靴と大人の靴、女性の靴と男性の靴のように、靴のサイズや形が大きく変わると靴を掴む事が出来なかった。
【課題を解決するための手段】
【０００４】
本発明は棒（１）の先を靴の踵後壁（２）を跨ぐ二股状に分岐させ、靴内部に入る方を板状の靴べら（３）とし、靴外に出る方を支柱（４）とした靴履き具（５）に於いて、棒（１）の上部を靴後方方向へ傾けた時、靴の踵後壁（２）上端と接触する靴べら（３）の靴接触位置（以下接点１（Ｓ１）と言う）と、靴の踵外側面下部と接触する支柱（４）の靴接触位置（以下接点２（Ｓ２）と言う）との水平距離寸法（６）を加減変更調節し維持出来る、距離寸法変更手段（７）を靴履き具に設けた事を特徴とする、改良靴履き具である、距離寸法変更手段（７）とは次に示す３通りの手段が考えられるが他の手段でもよい。
【０００５】
距離寸法変更手段の１つ目は図３に示す如く支柱（４）と平面形が円形の台座（８）の組み合わせであり、台座（８）の平面中心を外した偏心位置に、支柱（４）を立て、支柱（４）と台座（８）を回動可能に組み立てる。この状態の靴履き具の支柱（４）を握りながら台座（８）を水平に少し回動させると台座（８）は支柱（４）を中心軸として水平に回動する。中心が偏心している台座（８）は、支柱位置から台座の外周周辺各部迄の距離寸法が異なるため、靴べら（３）に対向する時、靴べら（３）と支柱（４）の先端部分である台座（８）の外周側面との水平距離寸法（６）も変わり、回動させる量を加減することで適当な水平距離寸法（６）に変更し維持する事が出来る。以上の説明で分かるように台座の平面形は、円形でなくても楕円形、８角形、６角形、４角形でもよいことがお分かりいただけると思う。
【０００６】
距離寸法変更手段の２つ目は図１に示す如く、接点１（Ｓ１）と接点２（Ｓ２）との間にボルトナットを組み合わせた螺子方式や、摩擦抵抗の強いスライド式のレールとレールガイドを組み合わせた手段の距離寸法変更を設け、靴べら（３）の方向に向かって距離寸法変更手段（７）を回す事や出し入れする事に因って、水平距離寸法（６）を近接離遠し加減変更調節し維持する。
【０００７】
距離寸法変更手段の３つ目は、 接点１（Ｓ１）と接点２（Ｓ２）をつないでいる材料を、塑性変形出来る材料製にし、それを塑性変形させて、靴べら（３）と支柱（４）との水平距離寸法（６）を加減変更調節し維持させる。例えば図３の支柱（４）を針金のような鋼製材料製にする。人が道具を使って与えるような大きな力を与えると変形し、靴の重さ程度の小さな力（荷重）では変形しない、太さ、強度とすることである。
【０００８】
火挟みと言われる、細長い鋼板をＵ字状に折り曲げ、かまどの中の薪や炭を掴む道具がある。この火挟みでも靴は掴めるが、これはお箸のように二本の棒で靴を掴んでいるにすぎない。しかも作用点は握っている手先から距離をおいて離れた先端である。力学の法則により手元では、先端で靴を挟む力より大きな力で握らない事には靴は掴めない。そして握るのを止めると靴は落下する。この点、本発明思想は二股に靴の踵を挟ませテコの原理で靴を掴んでいるので、靴の重量自身が靴を保持させ落下させない。
【発明の効果】
【０００９】
この発明は以上の様に、前記発明が解決しようとする課題、を解決したものである。すなわち接点１と接点２との水平距離寸法（６）を加減変更調節し維持出来る、距離寸法変更手段（７）を靴履き具に設けたので、水平距離寸法（６）を変えることによって多種多様の靴サイズに対応し、掴める靴の種類を増やす事に成功した。更に水平距離寸法（６）を大きくとることによって靴を掴まない従来の靴べらと同じ、単なる靴べらとしても使う事が出来、使用者の任意の使い方が出来るようになった。
【発明を実施するための最良の形態】
【００１０】
図１に示す如く、距離寸法変更手段（７）を、ボルトナットの螺子方式の組み合わせとした。 図１の例では台座（８）に雌螺子を刻み、これに合う雄螺子（１１）を差し込み、その先にゴム片を貼り付けた。雄螺子を回転さすことでボルトが出し入れされ、靴べら（３）の接点１（Ｓ１）までの水平距離寸法（６）を加減変更調節し維持される。
【実施例】
【００１１】
図１に示す様に距離寸法変更手段は、ボルトナットに代表される螺子方式の組み合わせを採用した。 実施例ではアルミ製の台座（８）に雌螺子を刻み、これに合うアルミ製の雄螺子（１１）を差し込み、その（靴べら側）先端にゴム片を貼り付けた。雄螺子を回転さすことで靴べら（３）の接点１（Ｓ１）までの水平距離寸法（６）を加減変更調節し維持出来る。
【００１２】
更に使い易くするために本実施例では棒（１）にスライドガイド溝（９）を設け、その溝内を支柱（４）の先端をＴ字型とした内管（１０）がスライドガイド溝（９）内を上下にスライド移動できるようにした、こうすることで水平、垂直の両方向共に距離寸法が変えられ、色んなサイズの靴に対応できる範囲が広くなった。スライドガイド溝（９）は円筒の塩化ビニール製の水道管（弾力性がある）を縦に切り裂き開き加熱変形加工し楕円形として靴べら（３）に補強材と共に接着剤で貼り付け、そこに同じく塩化ビニール製の内管（１０）を差し込んだ鞘管方式とした。スライドガイド溝（９）である外管の内径は支柱（４）の一部である内管（１０）の外径より少し小さい内径とし、常に支柱（４）の先である内管（１０）を挟み込む力が働くようにした。
【００１３】
そしてこの実施例では支柱（４）の下端を台座（８）とし、靴が掴める靴履き具を自立可能にした。台座（８）とは水平面積を広く持った物の事を言い、杖タイプでは杖の先端にある石突きと呼ばれる部分の底面積を広げる事で同じく自立可能になる。理屈上は靴履き具の重心が台座をはみ出さない範囲でその台座外枠内に収まっていれば転倒しないわけであるが、少し余裕を持たした方が使い易い。更に台座の重量を重くし、重心位置を低くする事で、転倒しにくい物になる。
【００１４】
図５は水平、垂直方向共に鞘管スライド方式を採用した一実施例である。任意の位置を決めて固定締付螺子（１３）を締め付ける事で位置を固定できる。
【００１５】
そして改良靴履き具を分離合体可能な各部分に分け、分離した各部分を組み合わせて元通りに出来るように製作することでコンパクトに収納できる。例えば支柱（４）と台座（８）をボルトナット方式で組合すことで分離合体を可能にし、分離さすことで運搬輸送するときにコンパクトに梱包できる。支柱（４）の下端をボルト状にし、台座（８）に雌螺子を刻み、雌螺子に支柱（４）をねじ込んで組み立てると一体と成って使用できる物になる。
【産業上の利用可能性】
【００１６】
この発明は、多種多様の靴サイズに対応出来る、靴が掴める、改良靴履き具が出来た。
【図面の簡単な説明】
【００１７】
【図１】本発明を表わす斜視図である。
【図２】従来発明を表わす側面断面図である。
【図３】本発明の一実施例を表わす斜視図とその一部断面図である。
【図４】杖型の靴履き具にスライド式の靴べらを設けた実施例。
【図５】水平、垂直方向共に鞘管スライド方式を採用した一実施例である。
【符号の説明】
【００１８】
１、棒
２、靴の踵後壁
３、靴べら
４、支柱
５、靴履き具
６、水平距離寸法
７、距離寸法変更手段
８、台座
９、スライドガイド溝
１０、内管
１１、雄螺子
１２、スライド式の靴べら
１３、固定締付螺子
Ｓ１、接点１
Ｓ２、接点２
【図１】
2009254558.tif 000003
【図２】
2009254558.tif 000004
【図３】
2009254558.tif 000005
【図４】
2009254558.tif 000006
【図５】
2009254558.tif 000007